(57)【要約】      （修正有）【課題】広画角化や変倍比の確保と共に、小型化も行いやすいズームレンズ、及び、このようなズームレンズを備えた撮像装置を提供する。【解決手段】物体側から像側に順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５とを有し、第２レンズ群と第４レンズ群との間に配置された明るさ絞りＳを有し、広角端から望遠端への変倍に際して各レンズ群の間の距離が変化し、第１レンズ群と第２レンズ群との間隔は広角端よりも望遠端にて広く、第２レンズ群と第３レンズ群との間隔は広角端よりも望遠端にて狭く、第４レンズ群と第５レンズ群との間隔は広角端よりも望遠端にて広く、以下の条件式を満足する。３．５≦ＬＴＬw／ＩＨt≦８．９、ＬＴＬwは、ズームレンズの広角端でのレンズ全長、ＩＨtは、ズームレンズの望遠端での最大像高である。【選択図】図１
2014089297.tif 000002
【特許請求の範囲】
【請求項１】
物体側から像側に順に、
正屈折力の第１レンズ群と、
負屈折力の第２レンズ群と、
正屈折力の第３レンズ群と、
負屈折力の第４レンズ群と、
正屈折力の第５レンズ群とを有し、
前記第２レンズ群と前記第４レンズ群との間に配置された明るさ絞りを有し、
広角端から望遠端への変倍に際して前記各レンズ群の間の距離が変化し、
前記第１レンズ群と前記第２レンズ群との間隔は広角端よりも望遠端にて広く、
前記第２レンズ群と前記第３レンズ群との間隔は広角端よりも望遠端にて狭く、
前記第４レンズ群と前記第５レンズ群との間隔は広角端よりも望遠端にて広く、
以下の条件式（１）を満足することを特徴とするズームレンズ。
３．５≦ＬＴＬw／ＩＨt≦８．９      （１）
ここで、
ＬＴＬwは、広角端での光軸上での無限遠合焦時における前記ズームレンズの最も物体側の屈折面から最も像側の屈折面までの光軸上での距離と空気換算したバックフォーカスとの和、
ＩＨtは、前記ズームレンズの望遠端での光軸上無限遠合焦時における最大像高
である。
【請求項２】
物体側から像側に順に、
正屈折力の第１レンズ群と、
負屈折力の第２レンズ群と、
正屈折力の第３レンズ群と、
負屈折力の第４レンズ群と、
正屈折力の第５レンズ群とを有し、
前記第２レンズ群と前記第４レンズ群との間に配置された明るさ絞りを有し、
広角端から望遠端への変倍に際して前記各レンズ群の間の距離が変化し、
前記第１レンズ群と前記第２レンズ群との間隔は広角端よりも望遠端にて広く、
前記第２レンズ群と前記第３レンズ群との間隔は広角端よりも望遠端にて狭く、
前記第４レンズ群と前記第５レンズ群との間隔は広角端よりも望遠端にて広く、
前記第３レンズ群は負レンズと複数の正レンズを有し、
以下の条件式（２）を満足することを特徴とするズームレンズ。
３．５≦ＬＴＬw／ＩＨt≦１０．０      （２）
ここで、
ＬＴＬwは、広角端での光軸上での無限遠合焦時における前記ズームレンズの最も物体側の屈折面から最も像側の屈折面までの光軸上での距離と空気換算したバックフォーカスとの和、
ＩＨtは、前記ズームレンズの望遠端での光軸上無限遠合焦時における最大像高
である。
【請求項３】
物体側から像側に順に、
正屈折力の第１レンズ群と、
負屈折力の第２レンズ群と、
正屈折力の第３レンズ群と、
負屈折力の第４レンズ群と、
正屈折力の第５レンズ群とを有し、
前記第２レンズ群と前記第４レンズ群との間に配置された明るさ絞りを有し、
広角端から望遠端への変倍に際して前記各レンズ群の間の距離が変化し、
前記第１レンズ群と前記第２レンズ群との間隔は広角端よりも望遠端にて広く、
前記第２レンズ群と前記第３レンズ群との間隔は広角端よりも望遠端にて狭く、
前記第４レンズ群と前記第５レンズ群との間隔は広角端よりも望遠端にて広く、
前記第３レンズ群は、
互いに接合され負の屈折力の接合面を形成する２枚のレンズと、
前記２枚のレンズよりも物体側に配置された物体側正レンズと、
前記２枚のレンズよりも像側に配置された像側レンズと
を有し、
前記第３レンズ群の物体側面から前記２枚のレンズよりも物体側直前のレンズの像側面までの合成屈折力が正であり、
前記像側レンズは正屈折力のレンズ面を有し、
以下の条件式（３）を満足することを特徴とするズームレンズ。
０．５≦｜ｆ2／ＩＨt｜≦１．３      （３）
ここで、
ｆ2は、前記第２レンズ群の焦点距離、
ＩＨtは、前記ズームレンズの望遠端での光軸上無限遠合焦時における最大像高
である。
【請求項４】
物体側から像側に順に、
正屈折力の第１レンズ群と、
負屈折力の第２レンズ群と、
正屈折力の第３レンズ群と、
負屈折力の第４レンズ群と、
正屈折力の第５レンズ群とを有し、
前記第２レンズ群と前記第４レンズ群との間に配置された明るさ絞りを有し、
広角端から望遠端への変倍に際して前記各レンズ群の間の距離が変化し、
前記第１レンズ群と前記第２レンズ群との間隔は広角端よりも望遠端にて広く、
前記第２レンズ群と前記第３レンズ群との間隔は広角端よりも望遠端にて狭く、
前記第４レンズ群と前記第５レンズ群との間隔は広角端よりも望遠端にて広く、
前記第３レンズ群は、
互いに接合され負の屈折力の接合面を形成する２枚のレンズと、
前記２枚のレンズよりも物体側に配置された物体側正レンズと、
前記２枚のレンズよりも像側に配置された像側レンズと
を有し、
前記第３レンズ群の物体側面から前記２枚のレンズよりも物体側直前のレンズの像側面までの合成屈折力が正であり、
前記像側レンズは正屈折力のレンズ面を有し、
以下の条件式（４）を満足することを特徴とするズームレンズ。
０．７≦ｆ3／ＩＨt≦２．０      （４）
ここで、
ｆ3は、前記第３レンズ群の焦点距離、
ＩＨtは、前記ズームレンズの望遠端での光軸上無限遠合焦時における最大像高
である。
【請求項５】
物体側から像側に順に、
正屈折力の第１レンズ群と、
負屈折力の第２レンズ群と、
正屈折力の第３レンズ群と、
負屈折力の第４レンズ群と、
正屈折力の第５レンズ群とを有し、
前記第２レンズ群と前記第４レンズ群との間に配置された明るさ絞りを有し、
広角端から望遠端への変倍に際して前記各レンズ群の間の距離が変化し、
前記第１レンズ群と前記第２レンズ群との間隔は広角端よりも望遠端にて広く、
前記第２レンズ群と前記第３レンズ群との間隔は広角端よりも望遠端にて狭く、
前記第４レンズ群と前記第５レンズ群との間隔は広角端よりも望遠端にて広く、
前記第３レンズ群は、
互いに接合され負の屈折力の接合面を形成する２枚のレンズと、
前記２枚のレンズよりも物体側に配置された物体側正レンズと、
前記２枚のレンズよりも像側に配置された像側レンズと
を有し、
前記第３レンズ群の物体側面から前記２枚のレンズよりも物体側直前のレンズの像側面までの合成屈折力が正であり、
前記像側レンズは正屈折力のレンズ面を有し、
以下の条件式（５）を満足することを特徴とするズームレンズ。
０．６≦ｆ3／ｆw≦１．６      （５）
ここで、
ｆ3は、前記第３レンズ群の焦点距離、
ｆwは、前記ズームレンズの広角端での光軸上無限遠合焦時における焦点距離
である。
【請求項６】
以下の条件式（６）を満足することを特徴とする請求項１から請求項５のいずれか１項に記載のズームレンズ。
４．０≦ｆ1／ｆw≦８．５      （６）
ここで、
ｆ1は、前記第１レンズ群の焦点距離、
ｆwは、前記ズームレンズの広角端での光軸上無限遠合焦時における焦点距離
である。
【請求項７】
前記第２レンズ群が以下の条件式（７）を満足する正レンズを有することを特徴とする請求項１から請求項６のいずれか１項に記載のズームレンズ。
１３≦νd2p≦２３      （７）
ここで、
νd2pは、前記第２レンズ群中の何れかの正レンズのアッベ数
である。
【請求項８】
以下の条件式（８）を満足することを特徴とする請求項１から請求項７のいずれか１項に記載のズームレンズ。
−１８．０％≦ＤＴw≦−６．０％      （８）
ここで、
ＤＴw＝｛ＩＨw−ｆw×ｔａｎ（ωw）｝／｛ｆw×ｔａｎ（ωw）｝×１００（％）
ｆwは、前記ズームレンズの広角端での光軸上無限遠合焦時における焦点距離、
ＩＨwは、前記ズームレンズの広角端での光軸上無限遠合焦時における最大像高、
ωwは、前記ズームレンズの広角端での光軸上無限遠合焦時における半画角
である。
【請求項９】
レンズ成分を光路中にて空気と接触する面が物体側面と像側面の２面のみのレンズブロックとするとき、
前記第２レンズ群は物体側から順に、
負屈折力の第１負レンズ成分と、負屈折力の第２負レンズ成分と、正屈折力の正レンズ成分との３つのレンズ成分からなることを特徴とする請求項１から請求項８のいずれか１項に記載のズームレンズ。
【請求項１０】
前記第２レンズ群中の前記第１負レンズ成分、前記第２負レンズ成分、及び前記正レンズ成分は何れも単レンズであることを特徴とする請求項９に記載のズームレンズ。
【請求項１１】
前記第３レンズ群は、物体側から像側に順に、
前記物体側正レンズ、前記２枚のレンズ、及び前記像側レンズの４枚のレンズからなり、前記像側レンズが正レンズであることを特徴とする請求項３、請求項４、及び請求項５のいずれか１項に記載のズームレンズ。
【請求項１２】
前記２枚のレンズと前記像側レンズにて接合トリプレットレンズを構成することを特徴とする請求項１１に記載のズームレンズ。
【請求項１３】
前記第１レンズ群は、物体側から像側に順に、負レンズ、第１正レンズ、及び第２正レンズからなることを特徴とする請求項１から請求項１２のいずれか１項に記載のズームレンズ。
【請求項１４】
前記第１レンズ群中の前記負レンズと前記第１正レンズとが互いに接合されていることを特徴とする請求項１３に記載のズームレンズ。
【請求項１５】
前記第１レンズ群が正レンズを有し、
前記第１レンズ群中の全ての正レンズが以下の条件式（９）を満足することを特徴とする請求項１から請求項１４のいずれか１項に記載のズームレンズ。
νd1p＞６２      （９）
ここで、
νd1pは、前記第１レンズ群中の正レンズのアッベ数である。
【請求項１６】
前記第１レンズ群中のいずれかの正レンズが以下の条件式（１０）を満足することを特徴とする請求項１から請求項１５のいずれか１項に記載のズームレンズ。
νd1p＞６５      （１０）
ここで、
νd1pは、前記第１レンズ群中の正レンズのアッベ数である。
【請求項１７】
前記第２レンズ群が以下の条件式（１１）を満足する正レンズを有することを特徴とする請求項１から請求項１６のいずれか１項に記載のズームレンズ。
０．６２０≦θgF2p≦０．６９０      （１１）
ここで、
θgF2p＝（ｎg2p−ｎF2p）／（ｎF2p−ｎC2p）
であり、
ｎg2pは、前記第２レンズ群中の前記正レンズのｇ線波長に対する屈折率、
ｎF2pは、前記第２レンズ群中の前記正レンズのＦ線波長に対する屈折率、
ｎC2pは、前記第２レンズ群中の前記正レンズのＣ線波長に対する屈折率
である。
【請求項１８】
前記第３レンズ群中の前記２枚のレンズの像側直後のレンズは物体側に凸の物体側面をもち、
以下の条件式（１２）を満足することを特徴とする請求項３、請求項４、請求項５、請求項１１、及び請求項１２のいずれか１項に記載のズームレンズ。
ＲRO／ＲCI≦１      （１２）
ここで、
ＲROは、前記第３レンズ群中の前記２枚のレンズの像側直後のレンズの物体側面の近軸曲率半径
ＲCIは、前記第３レンズ群中の前記２枚のレンズのうち像側のレンズの像側面の近軸曲率半径
である。
【請求項１９】
以下の条件式（１３）を満足することを特徴とする請求項１から請求項１８のいずれか１項に記載のズームレンズ。
３７°≦ωw≦  ５０°      （１３）
ここで、
ωwは、前記ズームレンズの広角端での光軸上無限遠合焦時における半画角である。
【請求項２０】
以下の条件式（１４）を満足することを特徴とする請求項１９に記載のズームレンズ。
４．５≦ｆt／ｆw      （１４）
ここで、
ｆwは、前記ズームレンズの広角端での光軸上無限遠合焦時における焦点距離、
ｆtは、前記ズームレンズの望遠端での光軸上無限遠合焦時における焦点距離
である。
【請求項２１】
以下の条件式（２）を満足することを特徴とする請求項１から請求項２０のいずれか１項に記載のズームレンズ。
３．５≦ＬＴＬw／ＩＨt≦１０．０      （２）
ここで、
ＬＴＬwは、広角端での光軸上での無限遠合焦時における前記ズームレンズの最も物体側の屈折面から最も像側の屈折面までの光軸上での距離と空気換算したバックフォーカスとの和、
ＩＨtは、前記ズームレンズの望遠端での光軸上無限遠合焦時における最大像高
である。
【請求項２２】
前記第３レンズ群は負レンズと複数の正レンズを有することを特徴とする請求項１から請求項２１のいずれか１項に記載のズームレンズ。
【請求項２３】
前記第３レンズ群は、
互いに接合され負の屈折力の接合面を形成する２枚のレンズと、
前記２枚のレンズよりも物体側に配置された物体側正レンズと、
前記２枚のレンズよりも像側に配置された像側レンズとを有し、
前記第３レンズ群の物体側面から前記２枚のレンズよりも物体側直前のレンズの像側面までの合成屈折力が正であり、
前記像側レンズは正屈折力のレンズ面を有することを特徴とする請求項１から請求項２２のいずれか１項に記載のズームレンズ。
【請求項２４】
以下の条件式（３）を満足することを特徴とする請求項１から請求項２３のいずれか１項に記載のズームレンズ。
０．５≦｜ｆ2／ＩＨt｜≦１．３      （３）
ここで、
ｆ2は、前記第２レンズ群の焦点距離、
ＩＨtは、前記ズームレンズの望遠端での光軸上無限遠合焦時における最大像高
である。
【請求項２５】
以下の条件式（４）を満足することを特徴とする請求項１から請求項２４のいずれか１項に記載のズームレンズ。
０．７≦ｆ3／ＩＨt≦２．０      （４）
ここで、
ｆ3は、前記第３レンズ群の焦点距離、
ＩＨtは、前記ズームレンズの望遠端での光軸上無限遠合焦時における最大像高
である。
【請求項２６】
以下の条件式（５）を満足することを特徴とする請求項１から請求項２５のいずれか１項に記載のズームレンズ。
０．６≦ｆ3／ｆw≦１．６      （５）
ここで、
ｆ3は、前記第３レンズ群の焦点距離、
ｆwは、前記ズームレンズの広角端での光軸上無限遠合焦時における焦点距離
である。
【請求項２７】
前記第５レンズ群は、前記広角端から望遠端への変倍に際して静止し、
前記第４レンズ群が、無限遠から至近距離物体へのフォーカシングの際に像側に移動することを特徴とする請求項１から請求項２６のいずれか１項に記載のズームレンズ。
【請求項２８】
ズームレンズと、
前記ズームレンズの像側に配置され前記ズームレンズにより形成された像を電気信号に変換する撮像素子とを備え、
前記ズームレンズが、請求項１から請求項２７のいずれか１項に記載のズームレンズであることを特徴とする撮像装置。
【請求項２９】
前記ズームレンズが請求項３、請求項４、請求項５、及び請求項１１のいずれか１項に記載のズームレンズであり、
前記第３レンズ群中の前記２枚のレンズの像側直後のレンズは物体側に凸の物体側面をもち、
像ぶれの防止のために、前記第３レンズ群中且つ前記２枚のレンズよりも像側のレンズが前記２枚のレンズに対して偏心移動し、
以下の条件式（１５）を満足することを特徴とする請求項２８に記載の撮像装置。
ＲRO／ＲCI≦１      （１５）
ここで、
ＲROは、前記第３レンズ群中の前記２枚のレンズの像側直後のレンズの物体側面の近軸曲率半径、
ＲCIは、前記第３レンズ群中の前記２枚のレンズのうち像側のレンズの像側面の近軸曲率半径
である。
【請求項３０】
前記像側レンズが正レンズであり、前記２枚のレンズよりも像側直後のレンズの物体側面から前記第３レンズ群の像側面までの合成屈折力が正であることを特徴とする請求項３、４、５、２３のいずれか１項に記載のズームレンズ。
【請求項３１】
前記２枚のレンズよりも像側直後のレンズの物体側面から前記第３レンズ群の像側面までの合成屈折力が負であることを特徴とする請求項３、４、５、２３のいずれか１項に記載のズームレンズ。
【発明の詳細な説明】
【技術分野】
【０００１】
本発明は、ズームレンズ及びズームレンズを備えた撮像装置に関するものである。
【背景技術】
【０００２】
近年、デジタルカメラの様な電子撮像素子を用いたカメラには、小型化・軽量化・低コスト化が求められている。小型化・軽量化・低コスト化を実現するには、カメラボディの小型化と光学系の小型化が必要である。
一方、光学系については、大きな建造物の撮影や、広大な背景をバックにした記念撮影などのより広画角での撮影ニーズと、一本のレンズで広角撮影や望遠撮影も行いたいという撮影ニーズが高い。このような撮影ニーズを満たすレンズとして、半画角が３７度以上の広画角を有し、変倍比４．５倍以上のズームレンズは、広範囲のシーンで使える、使い易い画角を有している。
比較的広い画角から高変倍を実現できる構成として、物体側から正屈折力の第１レンズ群・負屈折力の第２レンズ群・正屈折力の第３レンズ群・負屈折力の第４レンズ群・正屈折力の第５レンズ群を有する、特許文献１、２に記載のズームレンズが知られている。
【先行技術文献】
【特許文献】
【０００３】
【特許文献１】特開２０１０−１９１１９９号公報
【特許文献２】特開２００３−２８７６８１号公報
【発明の概要】
【発明が解決しようとする課題】
【０００４】
しかしながら、特許文献１のズームレンズは広角端での全長が長く、特許文献２のズームレンズ系は広角端での画角が狭い。
また、比較的近距離の撮影シーンとして、室内の狭い場所での人物・花などの撮影など広角側のズームポジションを使いより鮮明な撮影のためストロボ撮影を行うニーズも高い。
しかし、光学系は広角になるほど、変倍比が大きくなるほど鏡枠径が太くなり全長が長くなる傾向となり、光学系によるストロボ光のけられが発生しやすくなる傾向となる。
【０００５】
例えば、ズームレンズが大きい場合、被写体距離が短いときには被写体とズームレンズが接近するため、ストロボから発光した光がズームレンズに遮られやすい（ストロボ光のけられが発生する）。これに対して、ズームレンズによってストロボからの光が遮られないように、ストロボをズームレンズから離れた位置に配置すると、ストロボの位置がカメラボディから離れることになるため、カメラが大型化してしまう。
【０００６】
本発明は、上記に鑑みてなされたものであって、広い画角や十分な変倍比の確保と共に、小型化も行いやすいズームレンズ、及び、このようなズームレンズを備えた撮像装置を提供することを目的とする。
【課題を解決するための手段】
【０００７】
上述した課題を解決し、目的を達成するために、本発明の第１の態様に係るズームレンズは、物体側から像側に順に、正屈折力の第１レンズ群と、負屈折力の第２レンズ群と、正屈折力の第３レンズ群と、負屈折力の第４レンズ群と、正屈折力の第５レンズ群とを有し、第２レンズ群と第４レンズ群との間に配置された明るさ絞りを有し、広角端から望遠端への変倍に際して各レンズ群の間の距離が変化し、第１レンズ群と第２レンズ群との間隔は広角端よりも望遠端にて広く、第２レンズ群と第３レンズ群との間隔は広角端よりも望遠端にて狭く、第４レンズ群と第５レンズ群との間隔は広角端よりも望遠端にて広く、以下の条件式（１）を満足することを特徴としている。
３．５≦ＬＴＬw／ＩＨt≦８．９      （１）
ここで、
ＬＴＬwは、広角端での光軸上での無限遠合焦時におけるズームレンズの最も物体側の屈折面から最も像側の屈折面までの光軸上での距離と空気換算したバックフォーカスとの和、
ＩＨtは、ズームレンズの望遠端での光軸上無限遠合焦時における最大像高
である。
【０００８】
本発明の第２の態様に係るズームレンズは、物体側から像側に順に、正屈折力の第１レンズ群と、負屈折力の第２レンズ群と、正屈折力の第３レンズ群と、負屈折力の第４レンズ群と、正屈折力の第５レンズ群とを有し、第２レンズ群と第４レンズ群との間に配置された明るさ絞りを有し、広角端から望遠端への変倍に際して各レンズ群の間の距離が変化し、第１レンズ群と第２レンズ群との間隔は広角端よりも望遠端にて広く、第２レンズ群と第３レンズ群との間隔は広角端よりも望遠端にて狭く、第４レンズ群と第５レンズ群との間隔は広角端よりも望遠端にて広く、第３レンズ群は負レンズと複数の正レンズを有し、以下の条件式（２）を満足することを特徴としている。
３．５≦ＬＴＬw／ＩＨt≦１０．０      （２）
ここで、
ＬＴＬwは、広角端での光軸上での無限遠合焦時におけるズームレンズの最も物体側の屈折面から最も像側の屈折面までの光軸上での距離と空気換算したバックフォーカスとの和、
ＩＨtは、ズームレンズの望遠端での光軸上無限遠合焦時における最大像高
である。
【０００９】
本発明の第３の態様に係るズームレンズは、物体側から像側に順に、正屈折力の第１レンズ群と、負屈折力の第２レンズ群と、正屈折力の第３レンズ群と、負屈折力の第４レンズ群と、正屈折力の第５レンズ群とを有し、第２レンズ群と第４レンズ群との間に配置された明るさ絞りを有し、広角端から望遠端への変倍に際して各レンズ群の間の距離が変化し、第１レンズ群と第２レンズ群との間隔は広角端よりも望遠端にて広く、第２レンズ群と第３レンズ群との間隔は広角端よりも望遠端にて狭く、第４レンズ群と第５レンズ群との間隔は広角端よりも望遠端にて広く、第３レンズ群は、互いに接合され負の屈折力の接合面を形成する２枚のレンズと、２枚のレンズよりも物体側に配置された物体側正レンズと、２枚のレンズよりも像側に配置された像側正レンズを有し、第３レンズ群の物体側面から２枚のレンズよりも物体側直前のレンズの像側面までの合成屈折力が正であり、像側レンズは正屈折力のレンズ面を有し、以下の条件式（３）を満足することを特徴としている。
０．５≦｜ｆ2／ＩＨt｜≦１．３      （３）
ここで、
ｆ2は、第２レンズ群の焦点距離、
ＩＨtは、ズームレンズの望遠端での光軸上無限遠合焦時における最大像高
である。
【００１０】
本発明の第４の態様に係るズームレンズは、物体側から像側に順に、正屈折力の第１レンズ群と、負屈折力の第２レンズ群と、正屈折力の第３レンズ群と、負屈折力の第４レンズ群と、正屈折力の第５レンズ群とを有し、第２レンズ群と第４レンズ群との間に配置された明るさ絞りを有し、広角端から望遠端への変倍に際して各レンズ群の間の距離が変化し、第１レンズ群と第２レンズ群との間隔は広角端よりも望遠端にて広く、第２レンズ群と第３レンズ群との間隔は広角端よりも望遠端にて狭く、第４レンズ群と第５レンズ群との間隔は広角端よりも望遠端にて広く、第３レンズ群は、互いに接合され負の屈折力の接合面を形成する２枚のレンズと、２枚のレンズよりも物体側に配置された物体側正レンズと、２枚のレンズよりも像側に配置された像側レンズを有し、第３レンズ群の物体側面から２枚のレンズよりも物体側直前のレンズの像側面までの合成屈折力が正であり、像側レンズは正屈折力のレンズ面を有し、以下の条件式（４）を満足することを特徴としている。
０．７≦ｆ3／ＩＨt≦２．０      （４）
ここで、
ｆ3は、第３レンズ群の焦点距離、
ＩＨtは、ズームレンズの望遠端での光軸上無限遠合焦時における最大像高
である。
【００１１】
本発明の第５の態様に係るズームレンズは、物体側から像側に順に、正屈折力の第１レンズ群と、負屈折力の第２レンズ群と、正屈折力の第３レンズ群と、負屈折力の第４レンズ群と、正屈折力の第５レンズ群とを有し、第２レンズ群と第４レンズ群との間に配置された明るさ絞りを有し、広角端から望遠端への変倍に際して各レンズ群の間の距離が変化し、第１レンズ群と第２レンズ群との間隔は広角端よりも望遠端にて広く、第２レンズ群と第３レンズ群との間隔は広角端よりも望遠端にて狭く、第４レンズ群と第５レンズ群との間隔は広角端よりも望遠端にて広く、第３レンズ群は、互いに接合され負の屈折力の接合面を形成する２枚のレンズと、２枚のレンズよりも物体側に配置された物体側正レンズと、２枚のレンズよりも像側に配置された像側レンズを有し、第３レンズ群の物体側面から２枚のレンズよりも物体側直前のレンズの像側面までの合成屈折力が正であり、像側レンズは正屈折力のレンズ面を有し、以下の条件式（５）を満足することを特徴としている。
０．６≦ｆ3／ｆw≦１．６      （５）
ここで、
ｆ3は、第３レンズ群の焦点距離、
ｆwは、ズームレンズの広角端での光軸上無限遠合焦時における焦点距離
である。
【００１２】
本発明に係る撮像装置は、ズームレンズと、ズームレンズの像側に配置されズームレンズにより形成された像を電気信号に変換する撮像素子とを備え、ズームレンズが、上述のいずれかの態様に記載のズームレンズであることを特徴としている。
【発明の効果】
【００１３】
本発明にかかるズームレンズ及びそれを有する撮像装置は、広い画角や十分な変倍比の確保と共に、小型化も行いやすいズームレンズ、及び、このようなズームレンズを備えた撮像装置を提供できる、という効果を奏する。
【図面の簡単な説明】
【００１４】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の無限遠物点合焦時の広角端（ａ）、中間状態（ｂ）、望遠端（ｃ）でのレンズ断面図である。
【図３】本発明のズームレンズの実施例３の無限遠物点合焦時の広角端（ａ）、中間状態（ｂ）、望遠端（ｃ）でのレンズ断面図である。
【図４】本発明のズームレンズの実施例４の無限遠物点合焦時の広角端（ａ）、中間状態（ｂ）、望遠端（ｃ）でのレンズ断面図である。
【図５】本発明のズームレンズの実施例５の無限遠物点合焦時の広角端（ａ）、中間状態（ｂ）、望遠端（ｃ）でのレンズ断面図である。
【図６】本発明のズームレンズの実施例６の無限遠物点合焦時の広角端（ａ）、中間状態（ｂ）、望遠端（ｃ）でのレンズ断面図である。
【図７】本発明のズームレンズの実施例７の無限遠物点合焦時の広角端（ａ）、中間状態（ｂ）、望遠端（ｃ）でのレンズ断面図である。
【図８】実施例１の無限遠物点合焦時の収差図である。
【図９】実施例２の無限遠物点合焦時の収差図である。
【図１０】実施例３の無限遠物点合焦時の収差図である。
【図１１】実施例４の無限遠物点合焦時の収差図である。
【図１２】実施例５の無限遠物点合焦時の収差図である。
【図１３】実施例６の無限遠物点合焦時の収差図である。
【図１４】実施例７の無限遠物点合焦時の収差図である。
【図１５】電子撮像装置としての一眼ミラーレスカメラの断面図である。
【図１６】撮像装置としてのデジタルカメラの外観を示す前方斜視図である。
【図１７】撮像装置としてのデジタルカメラの外観を示す後方斜視図である。
【図１８】デジタルカメラの主要部の内部回路を示すブロック図である。
【図１９】ωｗを説明するための図である。
【発明を実施するための形態】
【００１５】
以下に、本発明にかかるズームレンズ及びそれを備えた撮像装置の実施形態を図面に基づいて詳細に説明する。なお、この実施形態によりこの発明が限定されるものではない。
まず、実施例の説明に先立ち、本実施形態のズームレンズの作用効果について説明する。
【００１６】
本発明の実施形態に係るズームレンズは、物体側から像側に順に、正屈折力の第１レンズ群と、負屈折力の第２レンズ群と、正屈折力の第３レンズ群と、負屈折力の第４レンズ群と、正屈折力の第５レンズ群とを有し、第２レンズ群と第４レンズ群との間に配置された明るさ絞りを有し、広角端から望遠端への変倍に際して各レンズ群の間の距離が変化し、第１レンズ群と第２レンズ群との間隔は広角端よりも望遠端にて広く、第２レンズ群と第３レンズ群との間隔は広角端よりも望遠端にて狭く、第４レンズ群と第５レンズ群との間隔は広角端よりも望遠端にて広いことを特徴としている。
【００１７】
これは、広角端で広い画角を確保し、全長を短縮し、十分な変倍比を得るために好ましい構成である。
この構成とすることで、ズーム域全域で開口絞り近傍の第３レンズ群を中心とした対称的な屈折力配置とする構成をとりやすくなり光学性能の維持に有利となる。特に、第４レンズ群の屈折力を負とすることで、広角端における第４レンズ群よりも物体側のレンズ構成の小径化と短縮化に有利となる。
【００１８】
さらに、本発明の実施形態に係るズームレンズは、以下の条件式（１）を満足することを特徴としている。
３．５≦ＬＴＬw／ＩＨt≦８．９      （１）
ここで、
ＬＴＬwは、広角端での光軸上での無限遠合焦時におけるズームレンズの最も物体側の屈折面から最も像側の屈折面までの光軸上での距離と空気換算したバックフォーカスとの和、
ＩＨtは、ズームレンズの望遠端での光軸上無限遠合焦時における最大像高
である。
【００１９】
条件式（１）の下限を下回らないようにして主な変倍作用を有する第２レンズ群と第３レンズ群の広角端での間隔を確保しやすくすることが高変倍比化の点で好ましい。
条件式（１）の上限を上回らないようにして広角端での全長を小さくすることで、広角端付近でのストロボ光のけられの低減に有利となる。全長の増大を抑えることで、ストロボの位置をより高い位置やより前方方向に設置せずとも、ストロボ光のけられの発生を回避しやすくなる。そのため、カメラの小型化に有利となる。ポップアップ式ストロボの場合でもストロボ装置の収納スペースを小さくできるので、カメラの小型化に有利となる。
【００２０】
本発明の実施形態に係るズームレンズは、第３レンズ群が負レンズと複数の正レンズを有することを特徴としている。
第３レンズ群の屈折力を高くして小型化と十分な変倍比を確保しても、第３レンズ群内で球面収差の低減に有利となる。
第３レンズ群中に正レンズを２枚以上配置することで収斂作用を分担し、これらの２枚以上の正レンズで発生した収差を負レンズによってキャンセルする構成とすることで、ズーム域全域で良好な性能を得ることが可能になる。
【００２１】
さらに、この実施形態に係るズームレンズは、以下の条件式（２）を満足することを特徴としている。
３．５≦ＬＴＬw／ＩＨt≦１０．０      （２）
条件式（２）の上限又は下限を臨界とする効果は、上述の条件式（１）の場合と同様である。
【００２２】
本発明の実施形態に係るズームレンズは、第３レンズ群が、互いに接合され負の屈折力の接合面を形成する２枚のレンズと、２枚のレンズよりも物体側に配置された物体側正レンズと、２枚のレンズよりも像側に配置された像側レンズを有し、第３レンズ群の物体側面から２枚のレンズよりも物体側直前のレンズの像側面までの合成屈折力が正であり、像側レンズは正屈折力のレンズ面を有することを特徴としている。
【００２３】
これにより、第３レンズ群の屈折力を高くしつつ球面収差とコマ収差の発生を少なくする構成となる。負屈折力の接合面を形成する２枚のレンズの前側の系の合成屈折力を正とし、後側の系にて正屈折力のレンズ面を配置することで、第３レンズ群内の収差補正を行いやすい構成としている。２枚のレンズの接合面を負屈折力とすることで、色収差、球面収差、コマ収差をズーム域全域で良好に補正できる。
像側レンズが正レンズであり、負屈折力の接合面を形成する２枚のレンズよりも像側直後のレンズの物体側面から第３レンズ群の像側面までの合成屈折力が正である場合、第３レンズ群での屈折力配置の対称性の向上により収差補正にいっそう有利となる。
一方、負屈折力の接合面を形成する２枚のレンズよりも像側直後のレンズの物体側面から第３レンズ群の像側面までの合成屈折力が負である場合、第３レンズ群の主点を物体側よりにでき、第２レンズ群と第３レンズ群間隔変化による変倍機能を高められ、変倍比の確保に有利となる。
【００２４】
さらに、この実施形態に係るズームレンズは、以下の条件式（３）を満足することを特徴としている。
０．５≦｜ｆ2／ＩＨt｜≦１．３      （３）
ここで、
ｆ2は、第２レンズ群の焦点距離、
ＩＨtは、ズームレンズの望遠端での光軸上無限遠合焦時における最大像高
である。
【００２５】
条件式（３）の下限を下回らないようにして、第２レンズ群の負屈折力を抑えることで広角端での全長短縮に有利となる。
条件式（３）の上限を上回らないようにすることで、十分な変倍比の確保や広角端での広い画角の確保に有利となる。
【００２６】
また、上記実施形態に係るズームレンズは、以下の条件式（４）を満足することを特徴としている。
０．７≦ｆ3／ＩＨt≦２．０      （４）
ここで、
ｆ3は、第３レンズ群の焦点距離、
ＩＨtは、ズームレンズの望遠端での光軸上無限遠合焦時における最大像高
条件式（４）の上限又は下限を臨界とする効果は、上述の条件式（３）の場合と同様である。
【００２７】
また、上記実施形態に係るズームレンズは、以下の条件式（５）を満足することを特徴としている。
０．６≦ｆ3／ｆw≦１．６      （５）
ここで、
ｆ3は、第３レンズ群の焦点距離、
ｆwは、ズームレンズの広角端での光軸上無限遠合焦時における焦点距離
である。
【００２８】
条件式（５）の下限を下回らないようにして、第３レンズ群内での正屈折力を適度に抑えることで、球面収差のアンダー傾向を低減しやすくなる、又は、第３レンズ群のレンズ枚数の低減につながり広角端での全長短縮が有利になる。
条件式（５）の上限を上回らないようにして、第３レンズ群の正屈折力を確保することで、広角端での全長短縮に有利となる。
【００２９】
上述のいずれかの実施形態に係るズームレンズにおいては、以下の条件式（６）を満足することが好ましい。
４．０≦ｆ1／ｆw≦８．５      （６）
ここで、
ｆ1は、第１レンズ群の焦点距離、
ｆwは、ズームレンズの広角端での光軸上無限遠合焦時における焦点距離
である。
【００３０】
条件式（６）の下限を下回らないようにすることで、入射瞳をズームレンズの第１面に近づけられるので、第１レンズ群のレンズ径の小型化による鏡筒の小型化に有利となる。  又は広角端で広画角化に有利となる。
条件式（６）の上限を上回らないようにすることで、十分な変倍比の確保やズーム域全域での全長短縮に有利となる。
【００３１】
上述のいずれかの実施形態に係るズームレンズにおいては、第２レンズ群が以下の条件式（７）を満足する正レンズを有することが好ましい。
１３≦νd2p≦２３      （７）
ここで、
νd2pは、第２レンズ群中の何れかの正レンズのアッベ数
である。
【００３２】
νd2pはｄ線基準のアッベ数（ｎd2p−１）／（ｎF2p−ｎC2p）である。
ここで、
ｎd2pは正レンズのｄ線における屈折率、
ｎC2pは正レンズのＣ線における屈折率、
ｎF2pは正レンズのＦ線における屈折率、
である。
【００３３】
第２レンズ群の負屈折力を十分に確保することで、広角端での広い画角の確保や十分な変倍比の確保に有利となる。その場合、軸上色収差・倍率色収差が発生しやすくなる。そこで、第２レンズ群中に正レンズを配置することで、色収差をキャンセルできる。
条件式（７）の下限を下回らないようにすることで、上記色収差の補正過剰を抑えられる。
条件式（７）の上限を上回らないようにすることで、上記色収差の補正不足を防止できるので、第２レンズ群の負屈折力を高めやすくなる、又は、色収差を補正するためのレンズ枚数を低減でき広角端でのズームレンズの全長の短縮に有利となる。レンズ径が比較的大きくなりやすい第２レンズ群においては、広角端での全長のいっそうの短縮のため、レンズ枚数は４枚以下、更には３枚以下で構成することがより望ましい。
【００３４】
上述のいずれかの実施形態に係るズームレンズにおいては、以下の条件式（８）を満足することが好ましい。
−１８．０％≦ＤＴw≦−６．０％      （８）
ここで、
ＤＴw＝｛ＩＨw−ｆw×ｔａｎ（ωw）｝／｛ｆw×ｔａｎ（ωw）｝×１００（％）
ｆwは、ズームレンズの広角端での光軸上無限遠合焦時における焦点距離、
ＩＨwは、ズームレンズの広角端での光軸上無限遠合焦時における最大像高、
ωwは、ズームレンズの広角端での光軸上無限遠合焦時における半画角
である。
【００３５】
第１レンズ群の正屈折力と第２レンズ群の負屈折力を高めることで、広角端におけるズームレンズの全長と径の小型化に有利となる。ただし、第２レンズ群の負の屈折力が強まることで、第２レンズ群内で負のディストーションが発生する。しかしながら、第２レンズ群は像面湾曲の補正に強く関与するレンズ群でもあるので、負のディストーションを許容することで像面湾曲の補正に有利となり、ズームレンズの小型化に有利となる。
条件式（８）の下限を下回らないようにして第２レンズ群での負屈折力を抑えることで、像面湾曲がプラス側に倒れる傾向を抑えられる。
条件式（８）の上限を上回らないようにして第２レンズ群での負屈折力を十分に確保することで、径方向の小型化に有利となる。
【００３６】
上述のいずれかの実施形態に係るズームレンズにおいては、レンズ成分を光路中にて空気と接触する面が物体側面と像側面の２面のみのレンズブロックとするとき、第２レンズ群は物体側から順に、負屈折力の第１負レンズ成分、負屈折力の第２負レンズ成分、正屈折力の正レンズ成分の３つのレンズ成分からなることが好ましい。
第２レンズ群において、広角端付近で像面湾曲を良好に補正するために、物体側に負屈折力の大きなレンズ成分を配置する構成が望ましい。第２レンズ群の負屈折力を高めるにあたり、第２レンズ群中の物体側の２つの負レンズ成分にて、球面収差の発生を抑え、第２レンズ群内で球面収差の補正能力が最も高くなる最も像面側に正屈折力の正レンズ成分を配置することで効果的に球面収差を補正できる。
【００３７】
上述の実施形態に係るズームレンズにおいて、第２レンズ群中の第１負レンズ成分、第２負レンズ成分、正レンズ成分は何れも単レンズであることが好ましい。
この配置をとることで、それぞれのレンズ成分を単レンズとして第２レンズ群をレンズ３枚で構成することが可能である。これにより第２レンズ群の総厚を薄くでき、広角端でのズームレンズの全長の短縮化に有利となる。
【００３８】
上述の実施形態に係るズームレンズにおいて、第３レンズ群は、物体側から像側に順に、物体側正レンズ、２枚のレンズ、像側レンズの４枚のレンズからなり、像側レンズが正レンズであることが好ましい。
第３レンズ群が負屈折力の接合面をもつ上述の構成とすることで、主に球面収差とコマ収差、色収差を効果的に補正できる。このとき、第３レンズ群を上述のレンズ４枚構成にすることで、第３レンズ群の屈折力の確保と総厚の低減につながり、広角端でのズームレンズの全長の短縮化に有利となる。
【００３９】
上述の実施形態に係るズームレンズにおいては、２枚のレンズと像側レンズにて接合トリプレットレンズを構成することが好ましい。
第３レンズ群を２つのレンズ成分構成とすることで、第３レンズ群内の組み立て誤差の影響を低減でき、安定した性能の確保に有利となる。
【００４０】
上述のいずれかの実施形態に係るズームレンズにおいて、第１レンズ群は、物体側から像側に順に、負レンズ、第１正レンズ、第２正レンズからなることが好ましい。
これにより、像面湾曲、ディストーション、軸外色収差を良好に補正でき、第１レンズ群の屈折力を高めやすくなる。また、ズーム域全域にてズームレンズの全長の短縮化に有利となる。
【００４１】
上述の実施形態に係るズームレンズにおいて、第１レンズ群中の負レンズと第１正レンズとが互いに接合されていることが好ましい。
これにより、負レンズと第１正レンズとの組み付け誤差を小さくでき、屈折力を高めやすくなり小型化に有利となる。
【００４２】
上述のいずれかの実施形態に係るズームレンズにおいて、第１レンズ群が正レンズを有し、第１レンズ群中の全ての正レンズが以下の条件式（９）を満足することが好ましい。
νd1p＞６２      （９）
ここで、
νd1pは、第１レンズ群中の正レンズのアッベ数である。
【００４３】
望遠端の焦点距離を長くするにつれて、第１レンズ群で発生する収差が後続するレンズ群により拡大される。上述の構成とすることで、第１レンズ群での色収差を低減でき、変倍比の向上に有利となる。
【００４４】
νd1pはｄ線基準のアッベ数（ｎd1p−１）／（ｎF1p−ｎC1p）である。
ここで、
ｎd1pはレンズＬ１のｄ線における屈折率、
ｎC1pはレンズＬ１のＣ線における屈折率、
ｎF1pはレンズＬ１のＦ線における屈折率、
である。
【００４５】
上述のいずれかの実施形態に係るズームレンズにおいて、第１レンズ群中のいずれかの正レンズが以下の条件式（１０）を満足することが好ましい。
νd1p＞６５      （１０）
ここで、
νd1pは、第１レンズ群中の正レンズのアッベ数
である。
【００４６】
条件式（１０）を満足することで、色収差の低減に有利となり、高変倍比化につながる。
条件式（１０）の下限を臨界とする効果は、上述の条件式（９）の場合と同様である。
【００４７】
上述のいずれかの実施形態に係るズームレンズにおいて、第２レンズ群が以下の条件式（１１）を満足する正レンズを有することが好ましい。
０．６２０≦θgF2p≦０．６９０      （１１）
ここで、
θgF2p＝（ｎg2p−ｎF2p）／（ｎF2p−ｎC2p）
であり、
ｎg2pは、第２レンズ群中の正レンズのｇ線波長に対する屈折率、
ｎF2pは、第２レンズ群中の正レンズのＦ線波長に対する屈折率、
ｎC2pは、第２レンズ群中の正レンズのＣ線波長に対する屈折率
である。
【００４８】
第２レンズ群の負屈折力を高めると、軸上色収差や倍率色収差が発生しやすくなる。
条件式（１１）の下限を下回らないようにすることで、上記色収差の補正に有利となり、第２レンズ群の屈折力の十分な確保に有利となる。
条件式（１１）の上限を上回らないようにすることで、上記色収差の補正過剰を抑えられる。
【００４９】
上述のいずれかの実施形態に係るズームレンズにおいて、第３レンズ群中の２枚のレンズの像側直後のレンズは物体側に凸の物体側面をもち、以下の条件式（１２）を満足することが好ましい。
ＲRO／ＲCI≦１      （１２）
ここで、
ＲROは、第３レンズ群中の２枚のレンズの像側直後のレンズの物体側面の近軸曲率半径
ＲCIは、第３レンズ群中の２枚のレンズのうち像側のレンズの像側面の近軸曲率半径
である。
【００５０】
これにより、第３レンズ群の主点を物体側よりにしやすくなり、広角端でのズームレンズの全長の短縮化と高変倍比化につながる。また、条件式（１２）を満足することで、高次の球面収差、コマ収差の低減に有利となる。
【００５１】
上述のいずれかの実施形態に係るズームレンズにおいて、以下の条件式（１３）を満足することが好ましい。
３７°≦ωw≦  ５０°      （１３）
ここで、
ωwは、ズームレンズの広角端での光軸上無限遠合焦時における半画角である。
【００５２】
条件式（１３）の下限を下回らないようにして、広い範囲の撮影を可能とし、上限を上回らないようにして画角を抑えることが、広角端でのズームレンズの全長と径方向の短縮化の両立に有利となる。
【００５３】
上述の実施形態に係るズームレンズにおいて、以下の条件式（１４）を満足することが好ましい。
４．５≦ｆt／ｆw      （１４）
ここで、
ｆwは、ズームレンズの広角端での光軸上無限遠合焦時における焦点距離、
ｆtは、ズームレンズの望遠端での光軸上無限遠合焦時における焦点距離
である。
【００５４】
条件式（１４）を満足すると画角の変化をつけやすくなり、さまざまな撮影シーンにて好ましい撮影が行える。
【００５５】
上述のいずれかの実施形態に係るズームレンズにおいては、以下の条件式（２）を満足することが好ましい。
３．５≦ＬＴＬw／ＩＨt≦１０．０      （２）
ここで、
ＬＴＬwは、広角端での光軸上での無限遠合焦時におけるズームレンズの最も物体側の屈折面から最も像側の屈折面までの光軸上での距離と空気換算したバックフォーカスとの和、
ＩＨtは、ズームレンズの望遠端での光軸上無限遠合焦時における最大像高
である。
【００５６】
上述のいずれかの実施形態に係るズームレンズにおいて、第３レンズ群は負レンズと複数の正レンズを有することが好ましい。
【００５７】
上述のいずれかの実施形態に係るズームレンズにおいて、第３レンズ群は、互いに接合され負の屈折力の接合面を形成する２枚のレンズと、２枚のレンズよりも物体側に配置された物体側正レンズと、２枚のレンズよりも像側に配置された像側レンズとを有し、第３レンズ群の物体側面から２枚のレンズよりも物体側直前のレンズの像側面までの合成屈折力が正であり、像側レンズは正屈折力のレンズ面を有することが好ましい。
【００５８】
上述のいずれかの実施形態に係るズームレンズにおいて、以下の条件式（３）を満足することが好ましい。
０．５≦｜ｆ2／ＩＨt｜≦１．３      （３）
ここで、
ｆ2は、第２レンズ群の焦点距離、
ＩＨtは、ズームレンズの望遠端での光軸上無限遠合焦時における最大像高
である。
【００５９】
上述のいずれかの実施形態に係るズームレンズにおいて、以下の条件式（４）を満足することが好ましい。
０．７≦ｆ3／ＩＨt≦２．０      （４）
ここで、
ｆ3は、第３レンズ群の焦点距離、
ＩＨtは、ズームレンズの望遠端での光軸上無限遠合焦時における最大像高
である。
【００６０】
上述のいずれかの実施形態に係るズームレンズにおいて、以下の条件式（５）を満足することが好ましい。
０．６≦ｆ3／ｆw≦１．６      （５）
ここで、
ｆ3は、第３レンズ群の焦点距離、
ｆwは、ズームレンズの広角端での光軸上無限遠合焦時における焦点距離
である。
【００６１】
上述のいずれかの実施形態に係るズームレンズにおいて、第５レンズ群は、広角端から望遠端への変倍に際して静止し、第４レンズ群が、無限遠から至近距離物体へのフォーカシングの際に像側に移動することが好ましい。
第５レンズ群が静止することで、動画撮影時のフォーカシング駆動音の低減に有利となる。第４レンズ群は軽量化に有利な群であり、動画撮影時のフォーカシングレンズ群とすることに向いている。
【００６２】
本発明の実施形態に係る撮像装置は、ズームレンズと、ズームレンズの像側に配置されズームレンズにより形成された像を電気信号に変換する撮像素子を備え、ズームレンズが、上述のいずれかの実施形態に係るズームレンズであることを特徴としている。
【００６３】
上述の実施形態に係る撮像装置において、上述のズームレンズは上述の実施形態に係るズームレンズであり、第３レンズ群中の２枚のレンズの像側直後のレンズは物体側に凸の物体側面をもち、ズームレンズの振動による像移動を安定化させる際、像ぶれの防止のために、第３レンズ群中且つ２枚のレンズよりも像側のレンズが２枚のレンズに対して偏心移動し、
以下の条件式（１５）を満足することが好ましい。
ＲRO／ＲCI≦１      （１５）
ここで、
ＲROは、第３レンズ群中の２枚のレンズの像側直後のレンズの物体側面の近軸曲率半径、
ＲCIは、第３レンズ群中の２枚のレンズのうち像側のレンズの像側面の近軸曲率半径
である。
【００６４】
上記の様に条件式（１５）を満足することで、高次の球面収差、コマ収差の低減に有利となる。上記構成とすれば、像移動の安定化動作による光学性能の劣化を抑えやすくなる。また、第３レンズ群の屈折力を高めつつ良好な性能を変倍域全域で得やすくなると共に、振動による像ブレの低減にも有利となる。
【００６５】
上述の各構成は、複数を同時に満足することがより好ましい。また、条件式の下限値、上限値は、一方又は両方をより限定することでその効果を確実にでき好ましい。
【００６６】
条件式（１）については、上限値を９．０、８．９、８．５、更に７．０とすることがより好ましい。
また、下限値を４．０、更に４．５とすることが好ましい。
【００６７】
条件式（３）については、上限値を１．２、下限値を０．６とすることが好ましい。
【００６８】
条件式（４）については、上限値を１．５、下限値を０．８とすることが好ましい。
【００６９】
条件式（５）については、上限値を１．４、下限値を０．８とすることが好ましい。
【００７０】
条件式（６）については、上限値を７．５、更に６．５とすることがより好ましい。また、下限値を４．５とすることが好ましい。
【００７１】
条件式（７）については、上限値を２２、下限値を１５とすることが好ましい。
【００７２】
条件式（８）については、上限値を−８％、下限値を−１５％とすることが好ましい。
【００７３】
条件式（９）については、下限値を６５とすることが好ましい。
【００７４】
条件式（１０）については、下限値を７０、更に８０とすることが好ましい。
【００７５】
条件式（１１）については、上限値を０．６７５、下限値を０．６３０とすることが好ましい。
【００７６】
条件式（１３）については、下限値を４０°とすることが好ましい。
【００７７】
条件式（１４）については、下限値を４．７とすることが好ましい。
【実施例】
【００７８】
以下、本発明のズームレンズの実施例１〜７について説明する。実施例１〜７の無限遠物点合焦時の広角端（ａ）、中間焦点距離状態（ｂ）、望遠端（ｃ）のレンズ断面図をそれぞれ図１〜図７に示す。図１〜図７中、第１レンズ群はＧ１、第２レンズ群はＧ２、第３レンズ群はＧ３、第４レンズ群はＧ４、第５レンズ群はＧ５、明るさ（開口）絞りはＳ、像面はＩで示してある。
【００７９】
また、各実施例において、数値データはいずれも無限遠の被写体に合焦した状態でのデータである。各数値の長さの単位はｍｍ、角度の単位は°（度）である。フォーカシングはいずれの実施例も第４レンズ群Ｇ４の移動（ｆｏｃｕｓ）により行う。さらに、ズームデータは広角端（広角）、中間焦点距離状態（中間）、望遠端（望遠）での値である。実施例１から６では、第３レンズ群中の最も像側のレンズ成分が偏心移動（Ｉ．Ｓ．）することでズームレンズの振動による像移動を安定化させている。像側のレンズ成分の屈折力が小さい場合などでは、第３レンズ群中の最も物体側のレンズ成分が偏心移動する構成としてもよい。
【００８０】
実施例１のズームレンズは、図１に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００８１】
物体側から順に、第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。ここで、負メニスカスレンズＬ１と正メニスカスレンズＬ２は接合されている。第２レンズ群Ｇ２は、物体側に凸面を向けた負メニスカスレンズＬ４と、両凹負レンズＬ５と、両凸正レンズＬ６と、からなる。第３レンズ群Ｇ３は、物体側に凸面を向けた正メニスカスレンズＬ７と、両凸正レンズＬ８と、像側に凸面を向けた負メニスカスレンズＬ９と、両凸正レンズＬ１０と、からなる。ここで、両凸正レンズＬ８と負メニスカスレンズＬ９は接合されている。第４レンズ群Ｇ４は、両凹負レンズＬ１１からなる。第５レンズ群Ｇ５は、像側に凸面を向けた正メニスカスレンズＬ１２からなる。
【００８２】
広角端から望遠端への変倍に際して、第１レンズ群Ｇ１は物体側へ移動する。第２レンズ群Ｇ２は物体側へ移動する。第３レンズ群Ｇ３は物体側へ移動する。第４レンズ群Ｇ４は物体側へ移動する。第５レンズ群Ｇ５は固定（静止）である。明るさ絞りＳは、物体側へ移動する。
【００８３】
非球面は、両凹負レンズＬ５の両面と、正メニスカスレンズＬ７の両面と、両凸正レンズＬ１０の両面と、両凹負レンズＬ１１の両面と、正メニスカスレンズＬ１２の両面と、の１０面に設けられている。
【００８４】
実施例２のズームレンズは、図２に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００８５】
物体側から順に、第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。ここで、負メニスカスレンズＬ１と正メニスカスレンズＬ２は接合されている。第２レンズ群Ｇ２は、物体側に凸面を向けた負メニスカスレンズＬ４と、両凹負レンズＬ５と、両凸正レンズＬ６と、からなる。第３レンズ群Ｇ３は、物体側に凸面を向けた正メニスカスレンズＬ７と、両凸正レンズＬ８と、像側に凸面を向けた負メニスカスレンズＬ９と、両凸正レンズＬ１０と、からなる。ここで、両凸正レンズＬ８と負メニスカスレンズＬ９は接合されている。第４レンズ群Ｇ４は、両凹負レンズＬ１１からなる。第５レンズ群Ｇ５は、像側に凸面を向けた正メニスカスレンズＬ１２からなる。
【００８６】
広角端から望遠端への変倍に際して、第１レンズ群Ｇ１は物体側へ移動する。第２レンズ群Ｇ２は物体側へ移動する。第３レンズ群Ｇ３は物体側へ移動する。第４レンズ群Ｇ４は物体側へ移動する。第５レンズ群Ｇ５は固定（静止）である。明るさ絞りＳは、物体側へ移動する。
【００８７】
非球面は、両凹負レンズＬ５の両面と、正メニスカスレンズＬ７の両面と、両凸正レンズＬ１０の両面と、両凹負レンズＬ１１の両面と、正メニスカスレンズＬ１２の両面と、の１０面に設けられている。
【００８８】
実施例３のズームレンズは、図３に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００８９】
物体側から順に、第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。ここで、負メニスカスレンズＬ１と正メニスカスレンズＬ２は接合されている。第２レンズ群Ｇ２は、物体側に凸面を向けた負メニスカスレンズＬ４と、両凹負レンズＬ５と、両凸正レンズＬ６と、からなる。第３レンズ群Ｇ３は、両凸正レンズＬ７と、両凸正レンズＬ８と、像側に凸面を向けた負メニスカスレンズＬ９と、物体側に凸面を向けた負メニスカスレンズＬ１０と、からなる。ここで、両凸正レンズＬ８と負メニスカスレンズＬ９は接合されている。第４レンズ群Ｇ４は、物体側に凸面を向けた負メニスカスレンズＬ１１からなる。第５レンズ群Ｇ５は、像側に凸面を向けた正メニスカスレンズＬ１２からなる。
【００９０】
広角端から望遠端への変倍に際して、第１レンズ群Ｇ１は物体側へ移動する。第２レンズ群Ｇ２は物体側へ移動する。第３レンズ群Ｇ３は物体側へ移動する。第４レンズ群Ｇ４は物体側へ移動する。第５レンズ群Ｇ５は固定（静止）である。明るさ絞りＳは、物体側へ移動する。
【００９１】
非球面は、両凹負レンズＬ５の両面と、両凸正レンズＬ７の両面と、負メニスカスレンズＬ１０の両面と、負メニスカスレンズＬ１１の両面と、正メニスカスレンズＬ１２の両面と、の１０面に設けられている。
【００９２】
実施例４のズームレンズは、図４に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００９３】
物体側から順に、第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。ここで、負メニスカスレンズＬ１と正メニスカスレンズＬ２は接合されている。第２レンズ群Ｇ２は、物体側に凸面を向けた負メニスカスレンズＬ４と、両凹負レンズＬ５と、物体側に凸面を向けた正メニスカスレンズＬ６と、からなる。第３レンズ群Ｇ３は、物体側に凸面を向けた正メニスカスレンズＬ７と、両凸正レンズＬ８と、像側に凸面を向けた負メニスカスレンズＬ９と、両凸正レンズＬ１０と、からなる。ここで、両凸正レンズＬ８と負メニスカスレンズＬ９は接合されている。第４レンズ群Ｇ４は、物体側に凸面を向けた負メニスカスレンズＬ１１からなる。第５レンズ群Ｇ５は、両凸正レンズＬ１２からなる。
【００９４】
広角端から望遠端への変倍に際して、第１レンズ群Ｇ１は物体側へ移動する。第２レンズ群Ｇ２は像側へ移動する。第３レンズ群Ｇ３は物体側へ移動する。第４レンズ群Ｇ４は物体側へ移動する。第５レンズ群Ｇ５は固定（静止）である。明るさ絞りＳは、物体側へ移動する。
【００９５】
非球面は、両凹負レンズＬ５の両面と、正メニスカスレンズＬ７の両面と、両凸正レンズＬ１０の両面と、負メニスカスレンズＬ１１の両面と、両凸正レンズＬ１２の両面と、の１０面に設けられている。
【００９６】
実施例５のズームレンズは、図５に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００９７】
物体側から順に、第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。ここで、負メニスカスレンズＬ１と正メニスカスレンズＬ２は接合されている。第２レンズ群Ｇ２は、物体側に凸面を向けた負メニスカスレンズＬ４と、両凹負レンズＬ５と、正メニスカスレンズＬ６と、からなる。第３レンズ群Ｇ３は、物体側に凸面を向けた正メニスカスレンズＬ７と、両凸正レンズＬ８と、像側に凸面を向けた負メニスカスレンズＬ９と、物体側に凸面を向けた負メニスカスレンズＬ１０と、両凸正レンズＬ１１と、からなる。ここで、両凸正レンズＬ８と負メニスカスレンズＬ９は接合され、負メニスカスレンズＬ１０と両凸正レンズＬ１１は接合されている。第４レンズ群Ｇ４は、両凹負レンズＬ１２からなる。第５レンズ群Ｇ５は、両凸正レンズＬ１３からなる。
【００９８】
広角端から望遠端への変倍に際して、第１レンズ群Ｇ１は物体側へ移動する。第２レンズ群Ｇ２は像側へ移動する。第３レンズ群Ｇ３は物体側へ移動する。第４レンズ群Ｇ４は物体側へ移動する。第５レンズ群Ｇ５は固定（静止）である。明るさ絞りＳは、物体側へ移動する。
【００９９】
非球面は、両凹負レンズＬ５の両面と、正メニスカスレンズＬ７の両面と、両凹負レンズＬ１２の両面と、両凸正レンズＬ１３の物体側の面と、の７面に設けられている。
【０１００】
実施例６のズームレンズは、図６に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【０１０１】
物体側から順に、第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。ここで、負メニスカスレンズＬ１と正メニスカスレンズＬ２は接合されている。第２レンズ群Ｇ２は、物体側に凸面を向けた負メニスカスレンズＬ４と、両凹負レンズＬ５と、両凸正レンズＬ６と、からなる。第３レンズ群Ｇ３は、物体側に凸面を向けた正メニスカスレンズＬ７と、両凸正レンズＬ８と、両凹負レンズＬ９と、両凸正レンズＬ１０と、からなる。ここで、両凸正レンズＬ８と両凹負レンズＬ９は接合されている。第４レンズ群Ｇ４は、物体側に凸面を向けた負メニスカスレンズＬ１１と、像側に凸面を向けた負メニスカスレンズＬ１２と、からなる。第５レンズ群Ｇ５は、像側に凸面を向けた正メニスカスレンズＬ１３からなる。
【０１０２】
広角端から望遠端への変倍に際して、第１レンズ群Ｇ１は物体側へ移動する。第２レンズ群Ｇ２は物体側へ移動した後に像側へ移動する。第３レンズ群Ｇ３は物体側へ移動する。第４レンズ群Ｇ４は物体側へ移動する。第５レンズ群Ｇ５は固定（静止）である。明るさ絞りＳは、物体側へ移動する。
【０１０３】
非球面は、両凹負レンズＬ５の両面と、正メニスカスレンズＬ７の両面と、両凸正レンズＬ１０の両面と、負メニスカスレンズＬ１２の両面と、正メニスカスレンズＬ１３の両面と、の１０面に設けられている。
【０１０４】
実施例７のズームレンズは、図７に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【０１０５】
物体側から順に、第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。ここで、負メニスカスレンズＬ１と正メニスカスレンズＬ２は接合されている。第２レンズ群Ｇ２は、物体側に凸面を向けた負メニスカスレンズＬ４と、両凹負レンズＬ５と、両凸正レンズＬ６と、からなる。第３レンズ群Ｇ３は、両凸正レンズＬ７と、両凸正レンズＬ８と、両凹負レンズＬ９と、両凸正レンズＬ１０と、からなる。ここで、両凸正レンズＬ８と、両凹負レンズＬ９と、両凸正レンズＬ１０と、は接合されている。第４レンズ群Ｇ４は、両凹負レンズＬ１１からなる。第５レンズ群Ｇ５は、像側に凸面を向けた正メニスカスレンズＬ１２からなる。
【０１０６】
広角端から望遠端への変倍に際して、第１レンズ群Ｇ１は物体側へ移動する。第２レンズ群Ｇ２は物体側へ移動する。第３レンズ群Ｇ３は物体側へ移動する。第４レンズ群Ｇ４は物体側へ移動する。第５レンズ群Ｇ５は固定（静止）である。明るさ絞りＳは、物体側へ移動する。
【０１０７】
非球面は、両凹負レンズＬ５の両面と、両凸正レンズＬ７の両面と、両凸正レンズＬ１０の像側の面と、両凹負レンズＬ１１の両面と、正メニスカスレンズＬ１２の両面と、の９面に設けられている。
【０１０８】
以下に、上記各実施例の数値データを示す。記号は上記の外、ＦＢはバックフォーカス、ｆ１、ｆ２…は各レンズ群の焦点距離、ＦＮＯはＦナンバー、ωは半画角、ｒは各レンズ面の曲率半径、ｄは各レンズ面間の間隔、ｎｄは各レンズのｄ線の屈折率、νｄは各レンズのｄ線におけるアッベ数である。後述するレンズ全長は、レンズ最前面からレンズ最終面までの距離にバックフォーカスを加えたものである。バックフォーカスは、レンズ最終面から近軸像面までの距離を空気換算して表したものである。
【０１０９】
また、各非球面形状は、各実施例における各非球面係数を用いて、以下の式（Ｉ）で表される。
但し、光軸方向の座標をＺ、光軸と垂直な方向の座標をＹとする。
Ｚ＝（Ｙ２／ｒ）／［１＋｛１−（１＋ｋ）・（Ｙ／ｒ）２｝１／２］＋Ａ４×Ｙ４＋Ａ６×Ｙ６＋Ａ８×Ｙ８＋Ａ１０×Ｙ１０      （Ｉ）
ここで、
ｒは近軸曲率半径、
ｋは円錐係数、
Ａ4、Ａ6、Ａ8、Ａ10はそれぞれ４次、６次、８次、１０次の非球面係数である。
また、非球面係数において、「ｅ−ｎ」（ｎは整数）は、「１０−ｎ」を示している。
【０１１０】
数値実施例１
単位  ｍｍ
面データ
面番号       r              d             nd              νd   
物面         ∞             ∞  
1          47.695          1.400        1.84666          23.78
2          34.063          4.900        1.61800          63.33
3         165.037          0.100 
4          41.121          3.300        1.60300          65.44
5         102.492          可変
6          36.874          1.200        1.88300          40.76
7           7.454          4.653
8*        -12.567          1.000        1.72903          54.04
9*         32.827          0.100
10         41.935          1.900        1.94595          17.98
11        -39.659          可変
12(絞り)     ∞            可変
13*         9.367          2.936        1.59201          67.02
14*        71.488          0.100
15         12.079          5.248        1.49700          81.54
16         -8.796          0.700        1.90366          31.32
17       -177.565          0.100
18*        24.703          1.600        1.69350          53.18
19*       -66.287          可変  
20*       -34.654          0.800        1.53071          55.69
21*        33.314          可変
22*       -67.050          4.460        1.53071          55.69
23*       -17.496         13.847
像面        ∞
（撮像面）
絞り面     12    
非球面データ
第８面 
K=0.0000
A4=-8.9370e-004,A6=4.4139e-005,A8=-1.6958e-006,A10=3.3206e-008,A12=0.0000e+000,
A14=0.0000e+000,A16=0.0000e+000,A18=0.0000e+000,A20=0.0000e+000
第９面 
K=0.0000
A4=-8.6521e-004,A6=4.7230e-005,A8=-1.8790e-006,A10=3.9393e-008,A12=0.0000e+000,
A14=0.0000e+000,A16=0.0000e+000,A18=0.0000e+000,A20=0.0000e+000
第１３面 
K=0.0000
A4=-2.2000e-005,A6=-8.4302e-007,A8=-1.4000e-008,A10=3.6867e-010,A12=0.0000e+000,
A14=0.0000e+000,A16=0.0000e+000,A18=0.0000e+000,A20=0.0000e+000
第１４面 
K=0.0000
A4=-6.1483e-005,A6=-2.8928e-006,A8=-4.6937e-008,A10=1.1518e-009,A12=0.0000e+000,
A14=0.0000e+000,A16=0.0000e+000,A18=0.0000e+000,A20=0.0000e+000
第１８面 
K=0.0000
A4=-7.1544e-005,A6=-5.0995e-006,A8=-7.6392e-008,A10=-2.8439e-009,
A12=0.0000e+000,A14=0.0000e+000,A16=0.0000e+000,A18=0.0000e+000,
A20=0.0000e+000
第１９面 
K=0.0000
A4=4.6268e-004,A6=1.9190e-006,A8=-8.3070e-008,A10=-2.6743e-011,A12=0.0000e+000,
A14=0.0000e+000,A16=0.0000e+000,A18=0.0000e+000,A20=0.0000e+000
第２０面 
K=0.0000
A4=4.1877e-004,A6=-7.3611e-006,A8=-3.2351e-007,A10=7.1729e-009,A12=0.0000e+000,
A14=0.0000e+000,A16=0.0000e+000,A18=0.0000e+000,A20=0.0000e+000
第２１面 
K=0.0000
A4=4.6187e-004,A6=-9.6978e-006,A8=-2.4869e-007,A10=6.4250e-009,A12=0.0000e+000,
A14=0.0000e+000,A16=0.0000e+000,A18=0.0000e+000,A20=0.0000e+000
第２２面 
K=0.0000
A4=2.1271e-005,A6=-1.1901e-007,A8=4.1202e-009,A10=-2.9920e-011,A12=0.0000e+000,
A14=0.0000e+000,A16=0.0000e+000,A18=0.0000e+000,A20=0.0000e+000
第２３面 
K=0.0000
A4=4.9454e-005,A6=-3.7779e-007,A8=6.8170e-009,A10=-3.5156e-011,A12=0.0000e+000,
A14=0.0000e+000,A16=0.0000e+000,A18=0.0000e+000,A20=0.0000e+000
ズームデータ
広角端          中間          望遠端
f  (mm)            12.249         25.475         58.644
F No.               3.900          5.500          6.100
2ω(画角)          85.0           46.1           21.0  
IH                 10.08          11.15          11.15
FB (mm)            13.847         13.847         13.847
全長               62.083         80.696        103.582
d5                  0.500          9.296         25.013
d11                 4.365          3.509          1.000
d12                 3.766          1.000          1.000
d19                 1.200          2.437          4.047
d21                 3.906         16.110         24.177
群焦点距離
f1=61.7989   f2=-7.51205   f3=11.3123   f4=-31.875   f5=43.2579 
RRO／RCI     -0.139
ｆｔ／ｆｗ    4.788 
RCI        -177.565
RRO          24.7029  
【０１１１】
数値実施例２
単位  ｍｍ
面データ
面番号       r              d             nd              νd   
物面         ∞             ∞  
1          44.384          1.400        1.84666          23.78
2          32.017          4.900        1.61800          63.33
3         113.477          0.100
4          41.622          3.200        1.61800          63.33
5         107.616          可変
6          42.933          1.200        1.88300          40.76
7           8.036          5.427
8*        -15.590          1.100        1.72903          54.04
9*         24.516          0.100
10         42.804          1.800        1.94595          17.98
11        -42.208          可変
12(絞り)     ∞            可変
13*         9.509          3.000        1.59201          67.02
14*       115.899          0.432
15         12.583          5.332        1.49700          81.54
16         -8.327          0.700        1.90366          31.32
17        -70.180          0.100
18*        31.798          1.600        1.69350          53.18
19*       -79.446          可変
20*       -38.464          0.800        1.53071          55.69
21*        23.597          可変
22*       -60.763          4.832        1.53071          55.69
23*       -17.021         13.898
像面        ∞
（撮像面）
絞り面     12    
非球面データ
第８面 
K=0.0000
A4=-9.4455e-004,A6=4.2790e-005,A8=-1.4902e-006,A10=2.5533e-008,A12=0.0000e+000,
A14=0.0000e+000,A16=0.0000e+000,A18=0.0000e+000,A20=0.0000e+000
第９面 
K=0.0000
A4=-9.3512e-004,A6=4.6723e-005,A8=-1.7357e-006,A10=3.2480e-008,A12=0.0000e+000,
A14=0.0000e+000,A16=0.0000e+000,A18=0.0000e+000,A20=0.0000e+000
第１３面 
K=0.0000
A4=6.5524e-006,A6=-4.2717e-007,A8=-2.2891e-008,A10=3.4152e-010,A12=0.0000e+000,
A14=0.0000e+000,A16=0.0000e+000,A18=0.0000e+000,A20=0.0000e+000
第１４面 
K=0.0000
A4=3.5768e-007,A6=-2.1268e-006,A8=-4.9995e-008,A10=8.9886e-010,A12=0.0000e+000,
A14=0.0000e+000,A16=0.0000e+000,A18=0.0000e+000,A20=0.0000e+000
第１８面 
K=0.0000
A4=-3.2477e-005,A6=-6.2036e-006,A8=-1.4880e-007,A10=-3.8629e-010,
A12=0.0000e+000,A14=0.0000e+000,A16=0.0000e+000,A18=0.0000e+000,
A20=0.0000e+000
第１９面 
K=0.0000
A4=3.9580e-004,A6=-8.1836e-008,A8=-1.7631e-007,A10=2.3699e-009,A12=0.0000e+000,
A14=0.0000e+000,A16=0.0000e+000,A18=0.0000e+000,A20=0.0000e+000
第２０面 
K=0.0000
A4=4.3981e-004,A6=-5.8985e-006,A8=-3.2607e-007,A10=7.6928e-009,A12=0.0000e+000,
A14=0.0000e+000,A16=0.0000e+000,A18=0.0000e+000,A20=0.0000e+000
第２１面 
K=0.0000
A4=4.9199e-004,A6=-7.8843e-006,A8=-2.6016e-007,A10=6.5765e-009,A12=0.0000e+000,
A14=0.0000e+000,A16=0.0000e+000,A18=0.0000e+000,A20=0.0000e+000
第２２面 
K=0.0000
A4=-2.7596e-006,A6=2.8738e-008,A8=3.1392e-009,A10=-2.1852e-011,A12=0.0000e+000,
A14=0.0000e+000,A16=0.0000e+000,A18=0.0000e+000,A20=0.0000e+000
第２３面 
K=0.0000
A4=3.2459e-005,A6=-3.0040e-007,A8=5.9187e-009,A10=-2.6451e-011,A12=0.0000e+000,
A14=0.0000e+000,A16=0.0000e+000,A18=0.0000e+000,A20=0.0000e+000
ズームデータ
広角端          中間          望遠端
f  (mm)            12.250         28.009         68.590
F No.               3.900          5.500          6.100
2ω(画角)          85.2           42.3           18.0  
IH                 10.11          11.15          11.15
FB (mm)            13.898         13.898         13.898
全長               64.083         83.392        108.571
d5                  0.500          8.277         28.177
d11                 4.542          3.373          1.000
d12                 4.582          1.000          1.000
d19                 1.207          3.342          3.917
d21                 3.331         17.478         24.558
群焦点距離
f1=63.5258   f2=-7.7611   f3=11.5221   f4=-27.4349   f5=42.9079
RRO／RCI     -0.453
ｆｔ／ｆｗ    5.599 
RCI         -70.1799
RRO          31.7977  
【０１１２】
数値実施例３
単位  ｍｍ
面データ
面番号       r              d             nd              νd   
物面         ∞             ∞  
1          48.045          1.400        2.00069          25.46
2          37.338          5.100        1.49700          81.61
3         266.383          0.100
4          36.947          4.000        1.49700          81.61
5         113.697          可変
6          46.864          1.200        1.88300          40.76
7           8.223          5.087
8*        -17.424          1.100        1.72903          54.04
9*         40.986          0.100
10         45.911          2.000        1.94595          17.98
11        -57.159          可変
12(絞り)     ∞            可変  
13*         9.566          4.957        1.49700          81.54
14*       -44.397          0.173
15         13.646          3.918        1.49700          81.61
16        -15.752          0.800        1.90366          31.32
17        -87.539          0.100
18*       113.088          1.700        1.76802          49.24
19*        73.379          可変
20*        88.795          0.800        1.83441          37.28
21*        15.658          可変  
22*      -256.424          5.276        1.49710          81.56
23*       -18.331         14.737
像面        ∞
（撮像面）
絞り面     12    
非球面データ
第８面 
K=0.0000
A4=-5.6373e-004,A6=1.7822e-005,A8=-4.7379e-007,A10=6.0826e-009,A12=0.0000e+000,
A14=0.0000e+000,A16=0.0000e+000,A18=0.0000e+000,A20=0.0000e+000
第９面 
K=0.0000
A4=-5.5856e-004,A6=1.9459e-005,A8=-5.2477e-007,A10=7.0911e-009,A12=0.0000e+000,
A14=0.0000e+000,A16=0.0000e+000,A18=0.0000e+000,A20=0.0000e+000
第１３面 
K=0.0000
A4=-8.1000e-005,A6=5.2425e-007,A8=-3.7122e-008,A10=4.5000e-010,A12=-1.5970e-012,
A14=0.0000e+000,A16=0.0000e+000,A18=0.0000e+000,A20=0.0000e+000
第１４面 
K=0.0000
A4=-9.4290e-005,A6=2.3854e-006,A8=-6.4913e-008,A10=4.7975e-010,A12=2.4700e-012,
A14=0.0000e+000,A16=0.0000e+000,A18=0.0000e+000,A20=0.0000e+000
第１８面 
K=0.0000
A4=-2.1094e-004,A6=9.5687e-006,A8=-2.3448e-007,A10=0.0000e+000,A12=0.0000e+000,
A14=0.0000e+000,A16=0.0000e+000,A18=0.0000e+000,A20=0.0000e+000
第１９面 
K=0.0000
A4=1.6006e-004,A6=1.1727e-005,A8=-1.4875e-007,A10=0.0000e+000,A12=0.0000e+000,
A14=0.0000e+000,A16=0.0000e+000,A18=0.0000e+000,A20=0.0000e+000
第２０面 
K=0.0000
A4=-8.8376e-005,A6=-2.7360e-006,A8=-2.1134e-008,A10=2.5000e-009,A12=0.0000e+000,
A14=0.0000e+000,A16=0.0000e+000,A18=0.0000e+000,A20=0.0000e+000
第２１面 
K=0.0000
A4=-5.5452e-005,A6=-4.5732e-006,A8=2.0582e-008,A10=1.2856e-009,A12=0.0000e+000,
A14=0.0000e+000,A16=0.0000e+000,A18=0.0000e+000,A20=0.0000e+000
第２２面 
K=0.0000
A4=-2.3579e-005,A6=4.9528e-007,A8=-1.6664e-009,A10=4.7360e-013,A12=0.0000e+000,
A14=0.0000e+000,A16=0.0000e+000,A18=0.0000e+000,A20=0.0000e+000
第２３面 
K=0.0000
A4=-9.3071e-006,A6=2.3579e-007,A8=1.2742e-009,A10=-7.4127e-012,A12=0.0000e+000,
A14=0.0000e+000,A16=0.0000e+000,A18=0.0000e+000,A20=0.0000e+000
ズームデータ
広角端          中間          望遠端
f  (mm)            12.247         28.002         84.602
F No.               3.971          5.535          6.138
2ω(画角)          84.6           42.3           14.6  
IH                 10.10          11.15          11.15
FB (mm)            14.737         14.737         14.737
全長               70.071         87.700        115.094
d5                  0.500          9.477         33.036
d11                 7.643          5.360          1.000
d12                 5.000          1.000          1.000
d19                 1.245          4.254          6.857
d21                 3.136         15.063         20.653
群焦点距離
f1=68.1605   f2=-8.73011   f3=12.4121   f4=-22.8961   f5=39.4259
RRO／RCI     -1.292
ｆｔ／ｆｗ    6.908
RCI         -87.5392
RRO         113.088  
【０１１３】
数値実施例４
単位  ｍｍ
面データ
面番号       r              d             nd              νd   
物面         ∞             ∞  
1          48.252          1.400        2.00069          25.46
2          37.307          6.700        1.49700          81.61
3         296.695          0.100
4          56.167          3.472        1.60300          65.44
5         180.333          可変
6         109.460          1.200        1.88300          40.76
7          13.500          4.634
8*        -27.368          1.100        1.72903          54.04
9*         29.555          1.440
10         25.732          2.300        1.94595          17.98
11         83.935          可変
12(絞り)     ∞            1.300
13*        10.255          2.941        1.49700          81.54
14*        60.947          3.152
15         27.962          5.449        1.63854          55.38
16         -7.872          0.800        1.88300          40.76
17       -592.740          0.300
18*        13.368          2.800        1.51633          64.14
19*      -230.393          可変  
20*       166.407          1.000        1.80139          45.45
21*        11.821          可変
22*       179.705          4.603        1.49710          81.56
23*       -22.868         15.653
像面         ∞
（撮像面）
絞り面     12    
非球面データ
第８面 
K=0.0000
A4=1.7280e-007,A6=2.6974e-007,A8=1.8914e-010,A10=-9.8172e-012,A12=0.0000e+000,
A14=0.0000e+000,A16=0.0000e+000,A18=0.0000e+000,A20=0.0000e+000
第９面 
K=0.0000
A4=9.5090e-006,A6=2.1983e-007,A8=2.2921e-009,A10=-2.4096e-011,A12=0.0000e+000,
A14=0.0000e+000,A16=0.0000e+000,A18=0.0000e+000,A20=0.0000e+000
第１３面 
K=0.0000
A4=-1.5800e-005,A6=4.5000e-007,A8=-2.3463e-008,A10=1.7222e-010,A12=-5.4219e-012,
A14=0.0000e+000,A16=0.0000e+000,A18=0.0000e+000,A20=0.0000e+000
第１４面 
K=0.0000
A4=-1.8634e-006,A6=1.8315e-007,A8=-2.8586e-008,A10=-7.7086e-011,
A12=-1.9235e-012,A14=0.0000e+000,A16=0.0000e+000,A18=0.0000e+000,
A20=0.0000e+000
第１８面 
K=0.0000
A4=4.1360e-005,A6=2.3010e-006,A8=-6.8235e-008,A10=0.0000e+000,A12=0.0000e+000,
A14=0.0000e+000,A16=0.0000e+000,A18=0.0000e+000,A20=0.0000e+000
第１９面 
K=0.0000
A4=2.4772e-004,A6=3.6931e-006,A8=-8.0091e-008,A10=0.0000e+000,A12=0.0000e+000,
A14=0.0000e+000,A16=0.0000e+000,A18=0.0000e+000,A20=0.0000e+000
第２０面 
K=0.0000
A4=1.4773e-005,A6=-4.5608e-007,A8=-1.9724e-008,A10=5.8799e-010,A12=0.0000e+000,
A14=0.0000e+000,A16=0.0000e+000,A18=0.0000e+000,A20=0.0000e+000
第２１面 
K=0.0000
A4=3.0185e-005,A6=-3.6710e-007,A8=-5.2205e-008,A10=1.1570e-009,A12=0.0000e+000,
A14=0.0000e+000,A16=0.0000e+000,A18=0.0000e+000,A20=0.0000e+000
第２２面 
K=0.0000
A4=-2.2915e-005,A6=1.5349e-007,A8=2.2202e-009,A10=-1.7048e-011,A12=0.0000e+000,
A14=0.0000e+000,A16=0.0000e+000,A18=0.0000e+000,A20=0.0000e+000
第２３面 
K=0.0000
A4=-2.0317e-005,A6=-1.9223e-007,A8=5.5225e-009,A10=-2.6769e-011,A12=0.0000e+000,
A14=0.0000e+000,A16=0.0000e+000,A18=0.0000e+000,A20=0.0000e+000
ズームデータ
広角端          中間         望遠端
f  (mm)            12.247         34.009        117.568
Fナンバー           4.000          5.500          6.200
2w (画角)          84.6           35.3           10.5  
IH                 10.04          11.15          11.15
FB (mm)            15.653         15.653         15.653
全長               95.572        109.416        128.582
d5                  0.500         16.510         39.263
d11                28.330         12.398          1.000
d19                 1.806          5.015          9.460
d21                 4.592         15.148         18.516
群焦点距離
f1=76.9854   f2=-11.6484   f3=15.6647   f4=-15.925   f5=41.1207 
RRO／RCI     -0.023
ｆｔ／ｆｗ    9.600 
RCI        -592.74
RRO          13.3684  
【０１１４】
数値実施例５
単位  ｍｍ
面データ
面番号       r              d             nd              νd   
物面         ∞             ∞  
1          46.276          1.400        2.00330          28.27
2          35.701          6.700        1.49700          81.61
3         179.682          0.100
4          52.522          3.865        1.59282          68.63
5         179.421          可変
6         155.698          1.200        1.88300          40.76
7          13.500          5.279
8*        -29.049          1.100        1.76802          49.24
9*         36.852          1.835
10         32.273          2.500        1.92286          18.90
11        766.965          可変
12(絞り)     ∞            可変  
13*        13.941          3.267        1.49700          81.54
14*       215.658          0.100
15         19.642          5.647        1.61293          37.00
16        -10.819          0.800        1.91082          35.25
17        -27.827          0.100
18         20.131          0.800        1.90366          31.32
19          7.429          4.323        1.49700          81.54
20       -131.704          可変  
21*       -68.343          1.100        1.53071          55.69
22*        10.730          可変
23*       175.465          5.184        1.49710          81.56
24        -20.641         15.363
像面         ∞
（撮像面）
絞り面     12    
非球面データ
第８面 
K=0.0000
A4=3.2975e-005,A6=-2.4885e-007,A8=-2.8015e-010,A10=9.9466e-012,A12=0.0000e+000,
A14=0.0000e+000,A16=0.0000e+000,A18=0.0000e+000,A20=0.0000e+000
第９面
K=0.0000
A4=3.1839e-005,A6=-2.4455e-007,A8=-2.1269e-010,A10=1.2027e-011,A12=0.0000e+000,
A14=0.0000e+000,A16=0.0000e+000,A18=0.0000e+000,A20=0.0000e+000
第１３面
K=0.0000
A4=-1.1110e-005,A6=1.5011e-007,A8=3.3020e-009,A10=1.2366e-010,A12=-1.3832e-012,
A14=0.0000e+000,A16=0.0000e+000,A18=0.0000e+000,A20=0.0000e+000
第１４面
K=0.0000
A4=3.1731e-005,A6=5.7923e-010,A8=-3.8555e-009,A10=2.7644e-010,A12=-3.1016e-012,
A14=0.0000e+000,A16=0.0000e+000,A18=0.0000e+000,A20=0.0000e+000
第２１面
K=0.0000
A4=-3.9750e-005,A6=-2.2106e-006,A8=4.9317e-008,A10=-6.7258e-010,A12=0.0000e+000,
A14=0.0000e+000,A16=0.0000e+000,A18=0.0000e+000,A20=0.0000e+000
第２２面
K=0.0000
A4=-6.6102e-005,A6=-2.4040e-006,A8=4.7775e-009,A10=-4.3615e-011,A12=0.0000e+000,
A14=0.0000e+000,A16=0.0000e+000,A18=0.0000e+000,A20=0.0000e+000
第２３面
K=0.0000
A4=-6.6622e-006,A6=5.3253e-008,A8=-3.0833e-010,A10=5.9212e-013,A12=0.0000e+000,
A14=0.0000e+000,A16=0.0000e+000,A18=0.0000e+000,A20=0.0000e+000
ズームデータ
広角端          中間         望遠端
f  (mm)            12.247         34.012        117.558
F No.               3.900          5.500          6.200
2ω(画角)          85.3           35.3           10.6  
IH                 10.09          11.15          11.15
FB (mm)            15.363         15.363         15.363
全長               96.572        112.222        131.573
d5                  0.800         17.145         41.211
d11                23.989         11.463          1.000
d12                 5.681          2.500          1.300
d20                 1.805          4.571          7.524
d22                 3.635         15.881         19.876
群焦点距離
f1=78.1589   f2=-12.6372   f3=15.9934   f4=-17.3903   f5=37.4811
RRO／RCI     -0.723
ｆｔ／ｆｗ    9.599 
RCI         -27.8266
RRO          20.131  
【０１１５】
数値実施例６
単位  ｍｍ
面データ
面番号       r              d             nd              νd   
物面         ∞             ∞  
1          53.869          1.400        2.00100          29.13
2          41.489          6.500        1.49700          81.61
3         385.670          0.100
4          55.990          3.651        1.49700          81.61
5         183.826          可変
6         133.074          1.200        1.88300          40.76
7          13.000          6.752
8*        -22.448          1.100        1.72903          54.04
9*         78.775          0.300
10         50.097          2.524        1.94595          17.98
11       -118.907          可変
12(絞り)     ∞            1.000
13*        10.006          3.182        1.49700          81.54
14*        50.035          3.296
15         21.000          5.711        1.65100          56.16
16         -8.556          0.800        1.88300          40.76
17         19.506          0.200
18*        10.218          2.800        1.58313          59.38
19*       -47.461          可変
20         50.425          1.000        1.69680          55.53
21         10.296          2.136
22*       -43.475          1.200        1.53071          55.69
23*       -98.704          可変
24*      -236.932          4.726        1.49710          81.56
25*       -18.026         14.729
像面         ∞
（撮像面）
絞り面     12    
非球面データ
第８面 
K=0.0000
A4=-3.5858e-005,A6=2.4861e-007,A8=4.9400e-009,A10=-3.3927e-011,A12=0.0000e+000,
A14=0.0000e+000,A16=0.0000e+000,A18=0.0000e+000,A20=0.0000e+000
第９面 
K=0.0000
A4=-4.1340e-005,A6=2.5590e-007,A8=4.4168e-009,A10=-3.1422e-011,A12=0.0000e+000,
A14=0.0000e+000,A16=0.0000e+000,A18=0.0000e+000,A20=0.0000e+000
第１３面 
K=0.0000
A4=-5.2983e-005,A6=2.0253e-007,A8=-1.2792e-008,A10=2.8958e-010,A12=-4.2500e-012,
A14=0.0000e+000,A16=0.0000e+000,A18=0.0000e+000,A20=0.0000e+000
第１４面 
K=0.0000
A4=-6.2854e-005,A6=8.4558e-007,A8=-1.8324e-008,A10=2.5748e-010,A12=-3.5919e-012,
A14=0.0000e+000,A16=0.0000e+000,A18=0.0000e+000,A20=0.0000e+000
第１８面 
K=0.0000
A4=-2.1016e-004,A6=2.4063e-006,A8=-4.7736e-008,A10=2.1412e-010,A12=0.0000e+000,
A14=0.0000e+000,A16=0.0000e+000,A18=0.0000e+000,A20=0.0000e+000
第１９面 
K=0.0000
A4=1.3521e-004,A6=2.7443e-006,A8=-4.1225e-008,A10=4.3064e-010,A12=0.0000e+000,
A14=0.0000e+000,A16=0.0000e+000,A18=0.0000e+000,A20=0.0000e+000
第２２面 
K=0.0000
A4=-9.6701e-005,A6=-6.1207e-006,A8=-1.9986e-008,A10=-8.1834e-010,
A12=0.0000e+000,A14=0.0000e+000,A16=0.0000e+000,A18=0.0000e+000,
A20=0.0000e+000
第２３面 
K=0.0000
A4=-9.4077e-005,A6=-5.7209e-006,A8=2.0088e-008,A10=-6.4909e-010,A12=0.0000e+000,
A14=0.0000e+000,A16=0.0000e+000,A18=0.0000e+000,A20=0.0000e+000
第２４面 
K=0.0000
A4=-8.6723e-005,A6=3.9573e-007,A8=1.7241e-010,A10=-4.8654e-012,A12=0.0000e+000,
A14=0.0000e+000,A16=0.0000e+000,A18=0.0000e+000,A20=0.0000e+000
第２５面 
K=0.0000
A4=-6.4671e-005,A6=2.1758e-007,A8=1.5033e-009,A10=-7.8307e-012,A12=0.0000e+000,
A14=0.0000e+000,A16=0.0000e+000,A18=0.0000e+000,A20=0.0000e+000
ズームデータ
広角端          中間         望遠端
f  (mm)            12.253         34.010        146.736
F No.               3.900          5.500          6.200
2ω(画角)          84.5           35.3            8.4  
IH                 10.04          11.15          11.15
FB (mm)            14.729         14.729         14.729
全長               98.582        119.487        144.808
d5                  0.500         18.216         50.139
d11                30.131         15.295          1.200
d19                 1.852          3.902          7.988
d23                 1.792         17.765         21.173
群焦点距離
f1=88.0183   f2=-12.6816   f3=16.493    f4=-16.5079   f5=38.9681
RRO／RCI       0.524
ｆｔ／ｆｗ    11.976
RCI           19.5062
RRO           10.2181   
【０１１６】
数値実施例７
単位  ｍｍ
面データ
面番号       r              d             nd              νd   
物面         ∞             ∞  
1          55.721          1.400        1.84666          23.78
2          39.622          4.900        1.60300          65.44
3         193.303          0.100
4          43.537          3.200        1.59282          68.63
5         104.731          可変  
6          44.895          1.200        1.88300          40.76
7           9.906          4.677
8*        -18.462          1.100        1.72903          54.04
9*         35.951          0.100
10         28.542          1.800        1.94595          17.98
11       -346.262          可変  
12(絞り)     ∞            可変
13*         9.112          4.696        1.58313          59.38
14*       -23.980          0.100
15         48.514          2.926        1.49700          81.61
16        -11.614          0.700        1.90366          31.32
17         13.996          2.000        1.81474          37.03
18*       -34.396          可変
19*       -72.173          0.800        1.53071          55.69
20*        13.592          可変
21*       -94.682          4.800        1.53071          55.69
22*       -19.005         16.911
像面         ∞
（撮像面）
絞り面     12    
非球面データ
第８面 
K=0.0000
A4=-3.4799e-004,A6=8.8145e-006,A8=-1.3878e-007,A10=1.2747e-009,A12=0.0000e+000,
A14=0.0000e+000,A16=0.0000e+000,A18=0.0000e+000,A20=0.0000e+000
第９面 
K=0.0000
A4=-3.3105e-004,A6=9.8427e-006,A8=-1.6282e-007,A10=1.5910e-009,A12=0.0000e+000,
A14=0.0000e+000,A16=0.0000e+000,A18=0.0000e+000,A20=0.0000e+000
第１３面 
K=0.0000
A4=-4.5382e-005,A6=-8.8847e-007,A8=6.3227e-009,A10=1.7632e-010,A12=-1.3110e-011,
A14=0.0000e+000,A16=0.0000e+000,A18=0.0000e+000,A20=0.0000e+000
第１４面 
K=0.0000
A4=1.1624e-004,A6=-2.6691e-006,A8=7.0485e-009,A10=4.7389e-010,A12=-1.2123e-011,
A14=0.0000e+000,A16=0.0000e+000,A18=0.0000e+000,A20=0.0000e+000
第１８面 
K=0.0000
A4=1.7182e-004,A6=6.4707e-006,A8=-7.0200e-008,A10=4.1778e-009,A12=0.0000e+000,
A14=0.0000e+000,A16=0.0000e+000,A18=0.0000e+000,A20=0.0000e+000
第１９面 
K=0.0000
A4=2.5249e-004,A6=-8.8999e-006,A8=-1.6699e-007,A10=8.0079e-009,A12=0.0000e+000,
A14=0.0000e+000,A16=0.0000e+000,A18=0.0000e+000,A20=0.0000e+000
第２０面 
K=0.0000
A4=3.0911e-004,A6=-1.2276e-005,A8=-1.9881e-008,A10=4.6193e-009,A12=0.0000e+000,
A14=0.0000e+000,A16=0.0000e+000,A18=0.0000e+000,A20=0.0000e+000
第２１面 
K=0.0000
A4=3.0206e-005,A6=9.8351e-008,A8=2.0669e-009,A10=-2.6629e-011,A12=0.0000e+000,
A14=0.0000e+000,A16=0.0000e+000,A18=0.0000e+000,A20=0.0000e+000
第２２面 
K=0.0000
A4=3.0043e-005,A6=-1.5829e-007,A8=5.3849e-009,A10=-3.4200e-011,A12=0.0000e+000,
A14=0.0000e+000,A16=0.0000e+000,A18=0.0000e+000,A20=0.0000e+000
ズームデータ
広角端          中間          望遠端
f  (mm)            14.294         35.011         97.915
F No.               3.900          5.500          6.000
2ω(画角)          76.0           34.3           12.9  
IH                 10.19          11.15          11.15
FB (mm)            16.911         16.911         16.911
全長               72.182         92.457        114.572
d5                  0.679         16.881         36.839
d11                11.074          6.361          1.000
d12                 3.543          1.000          1.000
d18                 1.205          3.937          5.481
d20                 4.273         12.870         18.844
群焦点距離
f1=71.5553   f2=-10.2455   f3=12.7009   f4=-21.4827   f5=43.8409
RRO／RCI      1.000
ｆｔ／ｆｗ    6.850  
RCI          13.9957
RRO          13.9957 
【０１１７】
以上の実施例１〜７の無限遠物点合焦時の収差図をそれぞれ図８〜図１４に示す。これらの収差図において、（ａ）〜（ｄ）は広角端、（ｅ）〜（ｈ）は中間焦点距離状態、（ｉ）〜（ｌ）は望遠端における、球面収差（ＳＡ）、非点収差（ＡＳ）、歪曲収差（ＤＴ）、倍率色収差（ＣＣ）を示す。各図中、 “ＦＩＹ”は像高を示す。実施例２以降では有効撮像領域に対して０．３ｍｍ大きい像高まで軸外収差を記載している。
【０１１８】
次に、各実施例における条件式の値を掲げる。
下限〜上限      実施例1    実施例2    実施例3    実施例4
LTLｗ／IHt   3.5〜8.9(10)   5.568      5.747      6.284      8.571
|f2/IHt|     0.5〜1.3       0.674      0.696      0.783      1.045
f3/IHt       0.7〜2.0       1.015      1.033      1.113      1.405
f3/fw        0.6〜1.6       0.924      0.941      1.013      1.279
f1/fw        4.0〜8.5       5.0454     5.18592    5.56553    6.28613
νｄ2p       13〜23         17.98      17.98      17.98      17.98
(使用硝材)     FDS18      FDS18      FDS18      FDS18
DTw          -18〜-6.0     -10.717    -10.992    -9.826     -9.33
νｄ1p       62(65)以上     63.33      63.33      81.61      81.61
65.44      63.33      81.61      65.44
(使用硝材)     S-PHM52    S-PHM52    FCD1       FCD1
(使用硝材)     S-PHM53    S-PHM52    FCD1       S-PHM53
θgF2p       0.62〜0.69     0.6544     0.6544     0.6544     0.6544
(使用硝材)     FDS18      FDS18      FDS18      FDS18
ωw          40〜50         42.515     42.596     42.305     42.278
下限〜上限      実施例5   実施例6    実施例7  
LTLｗ／IHt   3.5〜8.9(10)   8.661     8.841      6.474
|f2/IHt|     0.5〜1.3       1.133     1.137      0.919
f3/IHt       0.7〜2.0       1.434     1.479      1.139
f3/fw        0.6〜1.6       1.306     1.346      0.889
f1/fw        4.0〜8.5       6.3817    7.18349    5.00601
νｄ2p       13〜23         18.9      17.98      17.98
(使用硝材)     S-NPH2    FDS18      FDS18
DTw          -18〜-6.0     -11.109   -9.718     -10.177
νｄ1p        62(65)〜      81.61     81.61      65.44
68.63     81.61      68.63
(使用硝材)     FCD1      FCD1       S-PHM53
(使用硝材)     FCD505    FCD1       FCD505
θgF2p       0.62〜0.69     0.6495    0.6544     0.6544
(使用硝材)     S-NPH2    FDS18      FDS18
ωw          40〜50         42.629    42.269     38.012
【０１１９】
（デジタルカメラ）
図１５は、電子撮像装置としての一眼ミラーレスカメラの断面図である。図１５において、一眼ミラーレスカメラ１の鏡筒内には撮影レンズ系２が配置される。マウント部３は、撮影レンズ系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０１２０】
そして、一眼ミラーレスカメラ１の撮影レンズ系２として、例えば上記実施例１〜７に示した本発明のインナーフォーカスレンズ系が用いられる。
【０１２１】
図１６、図１７は、本発明に係る撮像装置の構成の概念図を示す。図１６は撮像装置としてのデジタルカメラ４０の外観を示す前方斜視図、図１７は同後方斜視図である。このデジタルカメラ４０の撮影光学系４１に、本発明のインナーフォーカスレンズ系が用いられている。
【０１２２】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のインナーフォーカスレンズ系を通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記録手段に記録することができる。
【０１２３】
（内部回路構成）
図１８は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０１２４】
図１８に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１２５】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１２６】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０１２７】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【０１２８】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０１２９】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１３０】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０１３１】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１３２】
このように構成されたデジタルカメラ４０は、撮影光学系４１として本発明のインナーフォーカスレンズ系を採用することで、広画角、小型でありながら、画質を劣化させずに高解像の画像を得るのに有利な撮像装置とすることが可能となる。
【０１３３】
ωw（広角端において無限遠物体に合焦した時の最大半画角）について、図１９を用いて説明する。図１９には、ズームレンズ、明るさ絞り及び撮像面が、光軸上に配置されている様子が示されている。ズームレンズに入射した光線は、明るさ絞りを通過したのち、ズームレンズから出射して撮像面に到達する。
【０１３４】
図１９において、実線で示す光線Ｌは、明るさ絞りの中心を通過する光線のうち、有効撮像領域上の点Ｘに到達する光線を示している。この点Ｘは、有効撮像領域のなかで光軸から最も離れた位置である。ここで、有効撮像領域は物体像が形成されている領域であるため、点Ｘは最大像高位置になる。このように、光線Ｌは、明るさ絞り中心を通過して有効撮像領域の最大像高位置に入射する光線である。そして、ωwは、広角端における、光線Ｌの光軸に対する半画角である。
【産業上の利用可能性】
【０１３５】
以上のように、本発明にかかるズームレンズは、広画角化や変倍比を確保しながら小型化を行う場合に有用である。
【符号の説明】
【０１３６】
Ｇ１…第１レンズ群
Ｇ２…第２レンズ群
Ｇ３…第３レンズ群
Ｇ４…第４レンズ群
Ｇ５…第５レンズ群
Ｓ…開口絞り
Ｉ…像面
１…一眼ミラーレスカメラ
２…撮影レンズ系
３…鏡筒のマウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
【図１】
2014089297.tif 000003
【図２】
2014089297.tif 000004
【図３】
2014089297.tif 000005
【図４】
2014089297.tif 000006
【図５】
2014089297.tif 000007
【図６】
2014089297.tif 000008
【図７】
2014089297.tif 000009
【図８】
2014089297.tif 000010
【図９】
2014089297.tif 000011
【図１０】
2014089297.tif 000012
【図１１】
2014089297.tif 000013
【図１２】
2014089297.tif 000014
【図１３】
2014089297.tif 000015
【図１４】
2014089297.tif 000016
【図１５】
2014089297.tif 000017
【図１６】
2014089297.tif 000018
【図１７】
2014089297.tif 000019
【図１８】
2014089297.tif 000020
【図１９】
2014089297.tif 000021